(57)【要約】【課題】  液面検出精度を向上させつつ、異なる形状の容器にコスト上昇を最小限度に抑えて対応可能な液面検出装置を提供する。【解決手段】  マグネットホルダ４を回動自在に保持するセンサホルダ３をフロートガイド２に保持固定するとともに、フロートガイド２を介して燃料レベルゲージ１がその取り付けられる対象部材に固定される構成とした。これにより、異なる形状の燃料タンク１２に対応した燃料レベルゲージ１を製作する場合、安価なフロートガイド２のみを新規に製作し高価なセンサホルダ３およびマグネットホルダ４は共通に使用することが可能となる。したがって、コスト上昇を最小限度に抑えて異なる形状の燃料タンク１２に対応可能な燃料レベルゲージ１を提供することができる。【選択図】        図２
2006250814.tif 000002
【特許請求の範囲】
【請求項１】
回転部材と、
前記回転部材を回動自在に保持する本体部材と、
前記回転部材に固定され前記回転部材と一体的に回転する変位部材と、
前記本体部材に固定されて前記変位部材の回転角度位置を検出する検出手段と、
液面上に浮かぶフロートと、
前記フロートを直線状に移動案内するガイド部材と、
一端側が前記フロートに回転可能に結合され且つ他端側が前記回転部材に摺動運動可能に結合され前記液面の上下動による前記フロートの上下動を前記回転部材の回転運動に変換するアームとを備え、
前記検出手段により検出された前記変位部材の回転角度位置に基づき前記液面位置を検出する液面検出装置であって、
前記本体部材は前記検出手段を外部の電気回路に接続するためターミナルを備え、
前記本体部材は前記ガイド部材に保持固定され、
液面検出装置は前記ガイド部材を介して液面検出装置が取り付けられる対象部材に固定されることを特徴とする液面検出装置。
【請求項２】
前記ガイド部材には前記ガイド部材を前記対象部材に固定するための固定手段が設けられることを特徴とする請求項１に記載の液面検出装置。
【請求項３】
前記変位部材は永久磁石であり、
前記検出手段は磁気抵抗素子であることを特徴とする請求項１または請求項２に記載の液面検出装置。
【発明の詳細な説明】
【技術分野】
【０００１】
本発明は、容器等に収容される液体の液面レベルを検出する液面検出装置に関するもので、特に、液体に浮かぶフロートを備えこのフロートの位置に基づいて液面レベルを検出する方式の液面検出装置に関するものである。
【背景技術】
【０００２】
この種の液面検出装置は、たとえば、自動車の燃料タンクに収容される燃料量を監視するための液面検出装置として利用されている。
【０００３】
従来の液面検出装置としては、たとえば、液面上に浮かぶフロートを直線状に移動案内するガイドと、フロートに回転可能に結合されたフロート側アームと、指針軸と、指針軸に固定され且つフロート側に嵌め込まれその軸方向に相対的に移動する軸側アームとを備え、液面の変動に応じたフロートの直線運動により指針軸を回転させ、指針軸に固定された指針により液面位置を指示するものがある（たとえば、特許文献１参照）。
【特許文献１】実開昭６２−１４３２１９号公報
【発明の開示】
【発明が解決しようとする課題】
【０００４】
従来の液面検出装置では、指針軸を回動自在に保持し且つ指針により液面位置を指示する表示部、およびフロートを直線状に移動案内するガイドはそれぞれ独立して液体の容器に固定されている。
【０００５】
そのため、指針軸に対するガイドの位置精度向上が困難で、液面検出精度が低下するという問題がある。
【０００６】
また、液面検出装置が取り付けられる容器が変わる度に、ガイドおよび表示部を新設する必要がある。特に、液面検出装置の重要機能部品である表示部を新設することは、コストの増大を招くという問題がある。
【０００７】
本発明は上記のような問題点に鑑みなされたもので、その目的は、液面検出精度を向上させつつ、異なる形状の容器にコスト上昇を最小限度に抑えて対応可能な液面検出装置を提供することである。
【課題を解決するための手段】
【０００８】
本発明は、上記目的を達成する為に以下の技術的手段を採用する。
【０００９】
本発明の請求項１に記載の液面検出装置は、回転部材と、回転部材を回動自在に保持する本体部材と、回転部材に固定され回転部材と一体的に回転する変位部材と、本体部材に固定されて変位部材の回転角度位置を検出する検出手段と、液面上に浮かぶフロートと、フロートを直線状に移動案内するガイド部材と、一端側がフロートに回転可能に結合され且つ他端側が回転部材に摺動運動可能に結合され液面の上下動によるフロートの上下動を回転部材の回転運動に変換するアームとを備え、検出手段により検出された変位部材の回転角度位置に基づき液面位置を検出する液面検出装置であって、本体部材は検出手段を外部の電気回路に接続するためターミナルを備え、本体部材はガイド部材に保持固定され、液面検出装置はガイド部材を介して液面検出装置が取り付けられる対象部材に固定されることを特徴としている。
【００１０】
上述のように構成された液面検出装置においては、検出手段を内蔵する本体部材がガイド部材に保持固定されているので、ガイド部材と本体部材との位置精度を高めることができるので、液面検出精度の高い液面検出装置を提供できる。
【００１１】
また、従来の液面検出装置においては、液面検出装置が取り付けられる容器が変わる度に、ガイドおよび本体部材としての表示部を新設する必要があり、特に本体部材は、液面検出装置において検出精度を左右する重要機能部品でありそのコストも高く、液面検出装置のコスト増大を招くという問題があった。
【００１２】
これに対して、本発明の請求項１に係る液面検出装置の場合、異なる形状の容器に対応した液面検出装置を製作する場合、ガイド部材のみを新しい容器に対応させたものを新設し、検出精度を左右する重要機能部品である本体部材および回転部材は共通使用することができる。
【００１３】
これにより、異なる形状の容器に対応した液面検出装置をコスト増大を抑制しつつ製作することができる。したがって、コスト上昇を最小限度に抑えて異なる形状の容器に対応可能な液面検出装置を提供することができる。
【００１４】
本発明の請求項２に記載の液面検出装置は、ガイド部材にはガイド部材を対象部材に固定するための固定手段が設けられることを特徴としている。
【００１５】
これにより、液面検出装置を対象部材、たとえば容器等に確実に固定することができる。
【００１６】
本発明の請求項３に記載の液面検出装置は、変位部材は永久磁石であり、検出手段は磁気抵抗素子であることを特徴としている。
【００１７】
この場合、検出手段は非接触状態で変位部材の位置、つまり回転部材の回転角度を高精度で検出することができる。
【発明を実施するための最良の形態】
【００１８】
以下、本発明の実施形態による液面検出装置を、自動車の燃料タンク内に装着されて燃料の液面位置を検出する燃料レベルゲージに適用した場合を例として、図に基づいて説明する。なお、各図において、同一構成部分には同一符号を付してある。
【００１９】
（第１実施形態）
図１は、本発明の第１実施形態による液面検出装置としての燃料レベルゲージ１の正面図である。図１における燃料レベルゲージ１の各構成部品は、燃料１０の液面１１が最低位にある状態を示している。また、図１中において、燃料の液面１１が最高位状態、つまり満タン時、および燃料１０の液面が中間位置時におけるフロート８およびアーム７を破線で示している。
【００２０】
図２は、本発明の第１実施形態による燃料レベルゲージ１の断面図であり、図１中のＩＩ−ＩＩ線断面図である。
【００２１】
なお、図１および図２において、図の上方が、燃料レベルゲージ１が当該自動車に取り付けられた状態における上方となっている。
【００２２】
図３は、本発明の第１実施形態による燃料レベルゲージ１の部分断面図であり、図１中のＩＩＩ−ＩＩＩ線断面図である。
【００２３】
図１〜図３に示される燃料レベルゲージ１は、燃料タンク１２内における燃料１０の液面１１高さを測ることで燃料タンク１２内の燃料残存量を検出するために用いられるものである。燃料レベルゲージ１は、燃料タンク１２の底面における最も低い位置に配置されている。
【００２４】
燃料レベルゲージ１は、大きくは、フロートガイド２、センサホルダ３、マグネットホルダ４、マグネット５、磁気抵抗素子６、アーム７、フロート８およびターミナル９等から構成されている。燃料レベルゲージ１は、それが取り付けられる対象部材であるフューエルポンプモジュール（図示せず）に、フロートガイド２を介して固定されている。なお、フューエルポンプモジュール（図示せず）は、燃料タンク１２内の燃料１０をエンジンへ送出するためのフューエルポンプ、燃料フィルタ等を一体化したもので、燃料タンク１２の底部に設置されている。
【００２５】
ガイド部材であるフロートガイド２は、ベース２１およびガイドレール２２から構成されている。フロートガイド２のベース２１の高さ寸法Ｈ１は、本発明の第１実施形態による燃料レベルゲージ１を満タン時液面レベルの異なる多種類の燃料タンク１２に適用可能とするために、燃料レベルゲージ１が適用され得る燃料タンク１２のうち、満タン時液面レベルが最も低い燃料タンク１２における燃料レベルゲージ１設置位置から燃料タンク１２上面までの高さよりも低く設定されている。
【００２６】
ベース２１は、たとえば樹脂材料から形成されている。ベース２１は、図１に示すように、ガイドレール２２を保持固定するための保持孔２１ａ、２１ｂを備えている。ベース２１は、図２に示すように、後述するセンサホルダ３が密着されるとともに、燃料レベルゲージ１をそれが取り付けられる対象部材であるフューエルポンプモジュール（図示せず）への取付け面となる支持面２１ｃが形成されている。また、ベース２１には、図１に示すように、固定手段である取付け孔２１ｈが２個設けられている。取付け孔２１ｈは、それらを介してフロートガイド２、つまり燃料レベルゲージ１を対象部材であるフューエルポンプモジュール（図示せず）にねじ止めするためのものである。ベース２１には、図２に示すように、後述するセンサホルダ３の軸部３１を挿通させるための貫通孔２１eが設けられている。ベース２１は、図１に示すように、後述するフロート８を図１の上下方向に移動案内するためのレール部２１ｆを備えている。ベース２１は、図１に示すように、後述するフロート８の最低位置を規制するストッパ部２１ｇを備えている。
【００２７】
ガイドレール２２は、たとえば断面円形状のステンレス鋼の棒材を所定位置で折り曲げることにより、図１に示すような形状に形成されている。すなわち、ガイドレール２２は、後述するフロート８の案内溝８１に挿入される互いに平行な直線状部分であるレール部２２ａ、２２ｂ、およびフロート８の最高位置を規制するストッパ部２２ｃを備えている。ストッパ部２２ｃ位置Ａは、この燃料レベルゲージ１が適用され燃料タンク１２の液面レベルの最高位置、すなわち満タン時液面位置におけるフロート位置Ｈ２対応するように形成されている。レール部２２ｂは、ガイドレール２２がベース２１に固定されると、べース２１のレール部２１ｆと滑らかにつながるように、つまりフロート８が滑らかに上下動できるような形状に作られている。ガイドレール２２は、その両端部が、ベース２１の保持孔２１ａ、２１ｂに圧入固定されている。
【００２８】
回転部材であるマグネットホルダ４は、たとえば樹脂材料等から円環状に形成されている。マグネットホルダ４は、図２に示すように、変位部材としての永久磁石であるマグネット５を内蔵保持している。マグネットホルダ４は、円環状の中心孔である孔部４１を備え、この孔部４１が後述する本体部材であるセンサホルダ３の軸部３１に回動可能に嵌合している。すなわち、マグネットホルダ４の孔部４１の内周には、図２に示すように、突起部４２が設けられ、この突起部４２が、センサホルダ３の軸部３１に設けられた溝部３２に嵌合することにより、マグネットホルダ４が軸部３１の軸方向（図２の左右方向）に移動することが規制される。マグネットホルダ４がセンサホルダ３に対して回転運動すると、マグネット５も、マグネットホルダ４と一体的に回転する、すなわちセンサホルダ３に対して変位することになる。
【００２９】
マグネット５は、たとえば円環状のものが孔部４１と同軸上に配置されて、あるいは扇形のものが２個孔部４１に対して対称配置されている。いずれの場合も、マグネット５により形成される磁束が、センサホルダ３の軸部３１の軸方向と直交し且つマグネットホルダ４の回転と連動して軸部３１を中心として回転するように、その着磁状態が設定されている。
【００３０】
マグネットホルダ４は、たとえば、樹脂成型時にマグネット５をインサート成型することにより作られる。
【００３１】
マグネットホルダ４には、後述するアーム７が摺動可能に結合されている。すなわち、アーム７は、図１に示すように、マグネットホルダ４の孔部４１の軸方向に直交する方向に摺動運動可能に結合されている。マグネットホルダ４には、アーム７がマグネットホルダ４に対して摺動運動するときのガイドとなる一対の案内突起４３が、図４に示すように、孔部４１を挟んで２対設けられている。一対の案内突起４３の間隔は、アーム７の直径寸法よりわずかに大きく形成されている。つまり、両案内突起４３間をアーム７が滑らかに且つ傾かずに摺動可能なように設定されている。これらの案内突起４３には、図１に示すように、キャップ４４が装着されて、アーム７が案内突起４３から外れることを防止している。
【００３２】
本体部であるセンサホルダ３は、たとえば樹脂材料等から形成されている。センサホルダ３は、図２に示すように、軸部３１を備え、この軸部３１の外周にマグネットホルダ４の孔部４１が嵌合することにより、マグネットホルダ４を回動自在に保持している。軸部３１には、図２に示すように、マグネットホルダ４の孔部４１に形成された突起部４２と係合する溝部３２が、軸部３１と同軸上に設けられている
センサホルダ３の軸部３１内には、図２に示すように、変位部材であるマグネット５の変位を検出する検出手段としての磁気抵抗素子６が内蔵されている。磁気抵抗素子６は、図２に示すように、軸部３１の軸方向においてマグネット５との重なり長さをできるだけ長くして配置されている。これにより、磁気抵抗素子６と交差するマグネット５の磁束量を多くして、磁気抵抗素子６の出力電圧を高めて、燃料レベルゲージ１の液面１１検出精度を高めるとともに、強い耐ノイズ性を備えることができる。
【００３３】
センサホルダ３は、磁気抵抗素子６を外部の電気回路と接続するためのターミナル９を備えている。本発明の第１実施形態による燃料レベルゲージ１においては、磁気抵抗素子６の電極数は２個であり、それにともなって、ターミナル９は、図１に示すように、２個設けられている。ターミナル９には、図１に示すように、電線９１が接続されている。磁気抵抗素子６は、各電線９１を通じて外部の電気回路、たとえば、磁気抵抗素子６からの検出信号を受けて液面１１位置を測定し燃料タンク１２内の残存量を算出する制御回路等に接続されている。
【００３４】
センサホルダ３は、たとえば、磁気抵抗素子６のリード６１にターミナル９をヒュージングあるいはかしめ等により接続し、それを樹脂成型時にインサート成型した後に、ターミナル９に電線９１をヒュージングあるいはかしめ等により接続して作られる。
【００３５】
センサホルダ３は、センサホルダ３をフロートガイド２に固定するための固定爪３３を備えている。固定爪３３は、図１に示すように４個設けられている。固定爪３３は、図３に示すように、フロートガイド２のベース２１に設けられた係止孔２１ｄに挿通、係止する。
【００３６】
センサホルダ３およびマグネットホルダ４は、センサホルダ３の軸部３１にマグネットホルダ４の孔部４１が回転可能に結合された状態において、いわゆる回転角度検出装置としての機能を発揮可能となる。
【００３７】
フロート８は、略直方体状に樹脂材料等から形成されている。フロート８は、燃料１０の液面１１に確実に浮かぶように、発泡成形あるいは空洞成型等により見掛けの比重を燃料よりも小さく設定されている。
【００３８】
フロート８の各面のうち、ガイドレール２２のレール部２２ａ、２２ｂと対向する面には、図３に示すように、案内溝８１、８２がそれぞれ設けられている。フロート８は、案内溝８１をガイドレール２２のレール部２２ａと嵌合させ、且つ案内溝８２をガイドレール２２のレール部２２ａあるいはベース２１のレール部２１ｆと嵌合させてガイドレール２２に装着されている。案内溝８１、８２の形状は、レール部２２ａ、２２ｂ、レール部２１ｆの形状よりも若干大きく形成されている。すなわち、フロート８が、ガイドレール２２内をレール部２２ａ、２２ｂ、レール部２１ｆに沿って滑らかに直線移動可能なように設定されている。
【００３９】
フロート８には、図３に示すように、水平方向に貫通する貫通孔８３が設けられている。貫通孔８３には、図３に示すように、後述するアーム７の端部が挿入されている。貫通孔８３の直径寸法は、アーム７の直径寸法より若干大きく設定されている。これにより、燃料タンク１２内の液面１１位置変動に応じてフロート８が上下方向に移動すると、アーム７は、フロート８に対して回転する。
【００４０】
アーム７は、たとえば断面円形状の金属製棒状部材から略Ｌ字状に形成されている。アーム７の一端は、図３に示すように、フロート８の貫通孔８３に回転可能に係合している。一方、アーム７の他端は、図１に示すように、マグネットホルダ４の案内突起４３およびキャップ４４により形成される孔部に摺動可能に係合している。マグネットホルダ４およびフロート８をアーム７を介してこのように結合したことにより、液面の上下動に応じてフロート８が上下動すると、アーム７は、マグネットホルダ４に対して摺動運動すると同時に、マグネットホルダ４を回転させる。すなわち、アーム７は、フロート８の上下動をマグネットホルダ４の回転運動に変換する機能を果たしている。
【００４１】
燃料１０の液面１１変動にフロート８を確実に追従させて燃料レベルゲージ１の検出精度を高めるためには、フロート８に作用する浮力を大きくする必要があるが、構成上、アーム７は、その重量がフロート８の重量を増加させるように作用する。したがって、アーム７は、できるだけ軽量化することが望ましく、たとえばアルミニウム等の軽金属、あるいはそのパイプ材等から形成されている。
【００４２】
次に、本発明の第１実施形態による、燃料レベルゲージ１の組立方法について順を追って説明する。
【００４３】
なお、センサホルダ３およびマグネットホルダ４は、以下に説明する工程より前に既に完成している。
【００４４】
先ず、フロートガイド２を組立てる。すなわち、フロート８の案内溝８１、８２をガイドレール２２のレール部２２ａ、２２ｂにそれぞれ嵌挿しつつ、ガイドレール２２の両端をベース２１の保持孔２１ａ、２１ｂに圧入固定する。
【００４５】
次に、センサホルダ３をフロートガイド２に固定する。すなわち、センサホルダ３の軸部３１をベース２１の貫通孔２１ｅに挿通させつつ、センサホルダ３の４個の係止爪３３をそれぞれに対応したベース２１の係止孔２１ｄに挿通係止させる。
【００４６】
次に、マグネットホルダ４をセンサホルダ３に装着する。すなわち、マグネットホルダ４の孔部４１をベース２１から突出しているセンサホルダ３の軸部３１に嵌合させ、さらに図２において右方向に押し込んで、マグネットホルダ４の突起部４２をセンサホルダ３の溝部３２に係合させる。これにより、マグネットホルダ４が軸部３１の軸方向（図２の左右方向）に移動することが規制され、且つマグネットホルダ４がセンサホルダ３に回転可能に保持される。
【００４７】
次に、アーム７を装着する。すなわち、アーム７の一端をフロート８の貫通孔８３に挿入し、アーム７の他端をマグネットホルダ４の一対の案内突起間に嵌め、その上からキャップ４４をかぶせるように取り付ける。これにより、アーム７はマグネットホルダ４に摺動可能に保持される。
【００４８】
以上で、本発明の第１実施形態による燃料レベルゲージ１の組付けが完了する。
【００４９】
完成した燃料レベルゲージ１は、フロートガイド２に設けられた取付け孔２１ｈを介して、フューエルポンプモジュール（図示せず）にねじ止めにより固定される。そして、フューエルポンプモジュール（図示せず）が燃料タンク１２内の底部に設置されることにより、燃料レベルゲージ１が燃料タンク１２内に設置される。
【００５０】
次に、本発明の第１実施形態による燃料レベルゲージ１の液面検出作動について説明する。
【００５１】
燃料１０の液面１１高さの変動に応じてフロート８が図１の上下方向に移動すると、アーム７は、センサホルダ３の軸部３１を中心として回転運動する。このとき、フロート８の貫通孔８３から軸部３１の中心までの距離は、フロート８の上下動にともなって変化する。しかし、アーム７がマグネットホルダ４に摺動可能に保持されているため、貫通孔８３から軸部３１の中心までの距離の変動分だけ、アーム７はマグネットホルダ４に対して直線運動する。これにより、上述の距離の変動分は吸収され、フロート８の上下動に連動してマグネットホルダ３は滑らかに回転運動することができる。
【００５２】
そして、アーム７の回動に連動してマグネット５が回転すると、磁気抵抗素子６を横切る磁束密度が変化して磁気抵抗素子６の出力電圧が変化する。この磁気抵抗素子６の出力電圧に基づいてフロート８の位置、すなわち燃料タンク１２内の液面１１位置Ｈが認識され、液面１１位置Ｈに基づいて、燃料タンク１２内の残存燃料量が算出される。
【００５３】
以上説明した、本発明の第１実施形態による燃料レベルゲージ１においては、マグネットホルダ４を回動自在に保持するセンサホルダ３を、フロートガイド２に保持固定するとともに、燃料レベルゲージ１は、フロートガイド２を介してが燃料レベルゲージ１が取り付けられる対象部材としてのフューエルポンプモジュール（図示せず）に固定される構成とした。
【００５４】
本発明の第１実施形態による燃料レベルゲージ１においては、検出手段である磁気抵抗素子６を内蔵するセンサホルダ３がフロートガイド２に保持固定されているので、センサホルダ３とフロートガイド２との位置精度を高く維持できるので、液面検出精度の高い燃料レベルゲージ１を提供することができる。
【００５５】
ところで、従来の液面検出装置においては、液面検出装置が取り付けられる容器が変わる度に、フロートガイドおよびセンサホルダを新設する必要があり、特にセンサホルダはそのコストが高いため結果として液面検出装置のコスト増大を招くという問題があった。
【００５６】
これに対して、本発明の第１実施形態による燃料レベルゲージ１においては、異なる形状の燃料タンク１２に対応した燃料レベルゲージ１を製作する場合、比較的安価なフロートガイド２のみを新しい燃料タンク１２に対応させたものを新規に製作し、検出機能を果たす重要機能部品であり高価なセンサホルダ３およびマグネットホルダ４は共通に使用することができる。
【００５７】
これにより、異なる形状の燃料タンク１２に対応した燃料レベルゲージ１をコスト増大を抑制しつつ製作することができる。したがって、コスト上昇を最小限度に抑えて異なる形状の燃料タンク１２に対応可能な燃料レベルゲージ１を提供することができる。
【００５８】
なお、以上説明した、本発明の第１実施形態による燃料レベルゲージ１においては、検出手段として磁気抵抗素子６を用いているが、磁気抵抗素子６に限定する必要はなく、他の種類の磁気検出素子を用いてもよい。たとえば、ホール素子、あるいは磁気ダイオード等を用いてもよい。
【００５９】
また、以上説明した、本発明の第１実施形態による燃料レベルゲージ１においては、変位部材として永久磁石であるマグネット５を、検出手段として磁気抵抗素子６を用いているが、変位部材および検出手段を他の種類のものに置き換えてもよい。たとえば、変位部材を導電部材からなる摺動片、いわゆるブラシとし、且つ検出手段を抵抗素子としてもよい。この場合、ブラシが液面の変動に対応して回転すると、抵抗素子上におけるブラシとの接触点の位置が変わり、これにより、ブラシと抵抗素子の端部との間の抵抗値が変化する。この抵抗値に基づいて、液面を測定することができる。
【００６０】
また、以上説明した、本発明の第１実施形態による燃料レベルゲージ１においては、その取付け対象部材への固定をねじ締めで行っているが、ねじに限る必要は無く、他の手段による固定方法、たとえば、対象部材に設けた係止爪をフロートガイド２に設けた係止孔に係合させる構成としてもよい。
【００６１】
また、以上説明した、本発明の第１実施形態による燃料レベルゲージ１においては、その取付け対象部材をフューエルポンプモジュール（図示せず）としているが、フューエルポンプモジュールに限定する必要は無く、燃料タンク１２内に直接取り付けてもよい。
【００６２】
また、以上説明した、本発明の第１実施形態においては、液面検出装置を自動車用の燃料レベルゲージ１に適用した場合を例に説明したが、その用途は自動車用の燃料レベルゲージ１に限らず、民生用各種装置に組み込まれる液面検出装置に適用してもよい。また、液面検出対象としての液体も、燃料に限る必要はなく、水、潤滑油、各種薬品等であってもよい。
【図面の簡単な説明】
【００６３】
【図１】本発明の第１実施形態による燃料レベルゲージ１の正面図である。
【図２】本発明の第１実施形態による燃料レベルゲージ１の断面図であり、図１中のＩＩ−ＩＩ線断面図である。
【図３】本発明の第１実施形態による燃料レベルゲージ１の部分断面図であり、図１中のＩＩＩ−ＩＩＩ線断面図である。
【図４】本発明の第１実施形態による燃料レベルゲージ１のマグネットホルダ３の正面図である。
【符号の説明】
【００６４】
１    燃料レベルゲージ（液面検出装置）
２    フロートガイド（ガイド部材）
２１    ベース
２１ａ    保持孔
２１ｂ    保持孔
２１ｃ    支持面
２１ｄ    係止孔
２１ｅ    貫通孔
２１ｆ    レール部
２１ｇ    ストッパ部
２１ｈ    取付け孔（固定手段）
２２    ガイドレール
２２ａ    レール部
２２ｂ    レール部
２２ｃ    ストッパ部
３    センサホルダ（本体部材）
３１    軸部
３２    溝部
３３    係止爪
４    マグネットホルダ（回転部材）
４１    孔部
４２    突起部
４３    案内突起
４４    キャップ
５    マグネット（変位部材、永久磁石）
６    ホール素子（検出手段、磁気抵抗素子）
７    アーム
８    フロート
８１    案内溝
８２    案内溝
８３    貫通孔
９    ターミナル
９１    電線
１０    燃料（液体）
１１    液面
１２    燃料タンク
Ａ    ストッパ位置
Ｈ    液面位置
Ｈ１    高さ寸法
Ｈ２    満タン時フロート位置
【図１】
2006250814.tif 000003
【図２】
2006250814.tif 000004
【図３】
2006250814.tif 000005
【図４】
2006250814.tif 000006